(57)【特許請求の範囲】
【請求項１】
壁面に固定される巾木本体と、前記巾木本体より下に位置し、床面に固定される不陸調整部材とからなる巾木において、
前記巾木本体の下面前端に、巾木の長手方向に沿う嵌合突条が垂設され、前記嵌合突条は、先端部の肉厚が根元部の肉厚より大とされており、
前記不陸調整部材の上面に、前記嵌合突条が嵌合可能な嵌合溝が設けられ、前記嵌合溝の断面の形状は、前記嵌合突条の断面の形状を含むものであり、
前記嵌合突条が前記嵌合溝に嵌合されるようになっており、
前記巾木本体の嵌合突条の表面側の側面は、前記壁面に対して平行な平面にされているとともに、前記嵌合突条の裏側の側面は、前記嵌合突条の先端部の肉厚が根元部の肉厚より大であるように勾配を付与され、
前記巾木本体の嵌合突条の肉厚の最大値と、前記不陸調整部材の嵌合溝の裏側の側壁の肉厚の最大値との和が、前記壁面と、前記嵌合突条の表面側の側面との距離以下であることを特徴とする巾木。
【請求項２】
前記不陸調整部材の嵌合溝の表面側の側壁の上端面が、前記不陸調整部材を床面に固定するための釘を打ち込むに足る幅を有するものであるとともに、前記表面側の側壁の上端面が、前記床面に対して平行であるか、裏側から表面側に向けて下方に傾斜しており、前記表面側の側壁の上端面と、床面とのなす角度が０〜４５°であることを特徴とする請求項１に記載の巾木。
【発明の詳細な説明】
【０００１】
【発明の属する技術分野】
本発明は、壁面と床面との境界部分に配置され、前記壁面に固定される巾木本体と、前記巾木本体より下に位置し、前記床面に固定される不陸調整部材とからなる巾木に関し、前記壁面と前記床面との当接面に前記床面との間に生じうる隙間を塞ぐ能力にすぐれるとともに、施工の作業性が向上させられる巾木に関する。
【０００２】
【従来の技術】
従来、この種の巾木としては、例えば、特開平１０−８８７７９号公報に開示された構造のものが知られている。図９は、この従来の巾木の一例の構造を示す概略断面図である。
図９（ａ）において、符号３１は巾木である。この巾木３１は、壁面２０に固定される巾木本体３２と、前記巾木本体３２より下に位置し、床面２１に固定される不陸調整部材３３とからなっている。
不陸調整部材３３は、その上面の壁面側に上向きの嵌合突条３４を有している。また、巾木本体３２は、その下面に、前記嵌合突条３４を嵌合するための下向きの嵌合溝３５を有している。ここで、嵌合突条３４の高さは、嵌合溝３５の深さより大きく設定されており、嵌合した状態においては、巾木本体３２と不陸調整部材３３との間の表面側に目地３６が現れるようになっている。
【０００３】
ここで、床面２１を下方から支持する図示しない根太が乾燥収縮した場合、床面２１に沈下や不陸が生じる。一方、壁面２０は図示しない外壁等に固定されているため、壁面２０と床面２１との当接面に隙間２２が生じる。このとき、巾木本体３２と不陸調整部材３３とは、図９（ｂ）に示すように、上下に互いに離間する方向にスライドして、隙間２２を塞ぐように働く。このとき、目地３６の幅は、変動することになる。
【０００４】
【発明が解決しようとする課題】
上述の構造を有する巾木３１においては、巾木３１が、巾木本体３２と不陸調整部材３３の２つの部材からなるので、巾木３１の寸法決めおよび位置決めは、不陸調整部材３３を床面２１に仮止めし、次いで、巾木本体３２を不陸調整部材３３の上に載せたのちに行う必要があった。また、巾木３１を所定の寸法に切断するためには、巾木本体３２と、不陸調整部材３３とを、別々に切断する必要があった。さらに、巾木３１を設置するためには、不陸調整部材３３を床面２１に固定したのち、巾木本体３２を不陸調整部材３３の上に載せて固定する必要があった。このように、従来の巾木は、施工の手数が掛かりやすいものであった。
【０００５】
しかも、経年変化により床面２１に部分的な不陸や沈下が発生した場合、床面２１の沈下量が均一でないため、目地３６の幅が不揃いになり、見栄えが悪くなった。
従って、本発明の課題は、壁面と床面との当接面に生じうる隙間を塞ぐ能力にすぐれ、施工の作業性が向上させられるとともに、目地を要せず、床面に部分的な不陸や沈下が発生しても美観を損ねるおそれのない巾木を提供することにある。
【０００６】
【課題を解決するための手段】
前記課題は、壁面に固定される巾木本体と、前記巾木本体より下に位置し、床面に固定される不陸調整部材とからなる巾木において、前記巾木本体の下面前端に、巾木の長手方向に沿う嵌合突条が垂設され、かつ、前記嵌合突条は、先端部の肉厚が根元部の肉厚より大とされており、かつ、前記不陸調整部材の上面に、前記嵌合突条が嵌合可能な嵌合溝が設けられ、前記嵌合溝の断面の形状は、前記嵌合突条の断面の形状を含むものであり、かつ、前記嵌合突条が前記嵌合溝に嵌合されるようになっている巾木によって解決される。
【０００７】
巾木本体と不陸調整部材とを嵌合した状態で、不陸調整部材を床面に釘打ち固定できるためには、前記不陸調整部材の嵌合溝の表面側の側壁の上端面が、前記不陸調整部材を床面に固定するための釘を打ち込むに足る幅を有するものであるとともに、前記表面側の側壁の上端面が、前記床面に対して平行であるか、裏側から表面側に向けて下方に傾斜しており、前記表面側の側壁の上端面と、床面とのなす角度が０〜４５°であるようにする。
【０００８】
前記巾木本体と前記不陸調整部材とが滑らかにスライドできるため、前記巾木本体の嵌合突条の表面側の側面は、前記壁面に対して平行な平面にされているとともに、前記嵌合突条の裏側の側面は、前記嵌合突条の先端部の肉厚が根元部の肉厚より大であるように勾配を付与されたものとするのが好ましい。
【０００９】
さらに、前記巾木本体の嵌合突条の肉厚の最大値と、不陸調整部材の嵌合溝の裏側の側壁の肉厚の最大値との和が、前記壁面と、前記嵌合突条の表面側の側面との距離以下となるようにすれば、壁面と、不陸調整部材の嵌合溝の裏側の側壁との間に十分な隙間が得られるので、不陸調整部材の嵌合溝の裏側の側壁は、前記巾木本体の嵌合突条を避けるように容易に弾性変形でき、巾木本体と不陸調整部材とが一層滑らかにスライドできるようになる。
【００１０】
【発明の実施の形態】
以下、図面を参照しながら、実施の形態に基づいて、本発明を詳しく説明する。図１は、本発明の巾木の一例を示す斜視図である。図１において、符号１は巾木である。この巾木１は、壁面２０に固定される巾木本体２と、前記巾木本体２より下に位置し、床面２１に固定される不陸調整部材３とが、嵌合されてなる。
【００１１】
本発明の巾木１においては、前記巾木本体２の下面前端に、図２に示すように、巾木１の長手方向に沿って、嵌合突条４が垂設されている。また、この嵌合突条４は、先端部の肉厚Ｄ2が根元部の肉厚Ｄ1に比して大とされており、前記巾木本体２と不陸調整部材３とを嵌合させたときの抜け止めになるようになっている。
【００１２】
この抜け止めが適切に機能するためには、Ｄ2からＤ1を減じた差（Ｄ2−Ｄ1）が、０．１〜０．３ｍｍの範囲内であるのが好ましい。前記Ｄ2−Ｄ1の値が、０．１ｍｍ未満では、嵌合突条４が嵌合溝５から抜けて脱落しやすく、０．３ｍｍを超えると、巾木本体２と不陸調整部材３との嵌合が硬くなり、床面に降下、不陸が生じたときに、巾木本体２と不陸調整部材３とが、互いに離間する方向にスライドするのが困難になるので、好ましくない。
【００１３】
嵌合突条４の高さＨは、３ｍｍ以上であるのが好ましい。嵌合突条４の高さＨが３ｍｍ未満では、嵌合突条４が嵌合溝５に嵌合しても、施工中に抜けて巾木本体２が倒れやすくなり、また、床面２１の降下量が大きいときに、巾木のスライドで対応できなくなるので、好ましくない。
嵌合突条４の高さＨの上限値は、特に制限しないが、対応すべき床面２１の降下量の最大値を考慮すれば、２０ｍｍ以下とするのが好ましい。
【００１４】
前記不陸調整部材３の上面には、図３に示すように、嵌合溝５が上向きに設けられている。この嵌合溝５の断面の形状は、嵌合突条４の断面の形状を含むものとされている。すなわち、少なくとも嵌合溝５の先端部の両側の側面と、嵌合突条４の根元部の両側の側面とが互いに合わさるようになっていて、これにより、嵌合突条４が嵌合溝５に挟持されるようになっている。このため、巾木本体２と不陸調整部材３とが、抜脱することなく嵌合させられる。
嵌合溝５の底部と、嵌合突条４の先端部との間は、成形の公差により余裕を持たせてもよく、または、この部分においても断面の形状を互いに合わせるようにしてもよい。
このため、巾木１は、巾木本体２と不陸調整部材３とを互いに嵌合させた状態で、搬送、切断、据え付けすることが可能であるので、施工の作業性が向上させられる。
【００１５】
さらに、図４に示すように、嵌合溝５の表面側の側壁５ａの上端面は、前記不陸調整部材３を床面２１に固定するための釘１０を打ち込むに足る幅を有するものであるのが好ましい。これによって、巾木本体２と不陸調整部材３とを嵌合した状態で、不陸調整部材３を床面２１に、釘打ち固定できるようになり、施工の作業性が向上させられる。
前記嵌合溝５の表面側の側壁５ａの上端面の幅Ｗは、２〜８ｍｍとするのが好ましい。前記幅Ｗが２ｍｍ未満では、釘を打ち込むのに十分ではなく、８ｍｍを超えると、不必要に広いものであり、意匠上好ましくない。
【００１６】
このように、嵌合溝５の表面側の側壁５ａの上端面を釘打ち面として利用する場合は、釘打ち機などを用いた釘打ち固定が容易であるために、前記嵌合溝５の表面側の側壁５ａの上端面は、床面２１に対して平行であるか、裏側から表面側に向けて下方に傾斜しており、前記嵌合溝５の表面側の側壁５ａの上端面と、床面２１とのなす角度θが０〜４５°の範囲内とされる。
【００１７】
さらに、前記嵌合突条４の表面側の側面は、図５（ａ）に示すように、壁面２０に対して平行な平面にされているのが好ましい。これによって、図５（ｂ）に示すように、床面２１が下降して、壁面２０と床面２１との当接面に隙間２２が生じ、巾木本体２と不陸調整部材３とが上下に互いに離間するようにスライドするとき、巾木本体２と不陸調整部材３との間に目地が生じないので、美観を損ねることがない。
【００１８】
嵌合突条４の表面側の側面が、嵌合溝５の表面側の側壁５ａの内側面より、上方に位置するものであると、巾木本体２と不陸調整部材３とが上下に互いに離間するようにスライドしたとき、図６（ａ）に示すように、巾木本体２と不陸調整部材３との間に、目地６が現れるので、美観を損ねるおそれがある。
【００１９】
また、嵌合突条４の表面側の側面が、嵌合溝５の表面側の側壁５ａの内側面より、下方に位置するものであると、巾木本体２と不陸調整部材３とが上下に互いに離間するようにスライドしようとするとき、図６（ｂ）に示すように、前記嵌合突条４の表面側の側面と、前記嵌合溝５の表面側の側壁５ａの内側面との間で、スライドに抵抗する抗力が発生し、しかも、前記表面側の側壁５ａは、釘１０により固定されて剛性を増しているので、スライドが困難になる。
【００２０】
従って、前記嵌合突条４の表面側の側面は、図５（ａ）に示すように、壁面２０に対して平行な平面にされているのが好ましい。
本発明において、前記嵌合突条４の表面側の側面が壁面２０と平行であるというのは、厳密に平行でなければならないという意味ではなく、上述の問題点が実用上顕著にならない程度の誤差を許容するものである。この誤差の範囲は、±０．５°以内である。
【００２１】
前記嵌合突条４は、上述のように、先端部の肉厚Ｄ2が根元部の肉厚Ｄ1より大とされているので、前記嵌合突条４の表面側の側面が壁面２０に対して平行な平面にされているためには、前記嵌合突条４の裏側の側面が、先端部の肉厚が根元部の肉厚より大であるように、勾配を付与されている必要がある。
【００２２】
さらに、前記巾木本体２の嵌合突条４の肉厚の最大値Ａと、不陸調整部材３の嵌合溝５の裏側の側壁５ｂの肉厚の最大値Ｂとの和が、前記壁面２０と、前記嵌合突条４の表面側の側面との距離Ｃ以下であるようにするのが好ましい。
不陸調整部材３をこのような形状とする理由は以下のとおりである。
上述したように、前記嵌合突条４は、抜け止めとなるようにされているので、巾木本体２と不陸調整部材３とが互いに上下に離間する方向にスライドしようとするとき、嵌合突条４の側面と、嵌合溝５の内側面との間で、スライドに抵抗する抗力が発生する。
【００２３】
不陸調整部材３を上述の形状とすることにより、前記嵌合溝５の裏側の側壁５ｂと、壁面２０との間に、前記嵌合溝５の裏側の側壁５ｂが壁面２０の向きに弾性変形するための余地７が得られるので、前記嵌合溝５の裏側の側壁５ｂが壁面２０の向きに弾性変形することによって、スライドに抵抗する抗力を軽減させることができる。
【００２４】
このＡ＋Ｂ≦Ｃの関係を満たすためには、図５（ａ）に示すように、不陸調整部材３の嵌合溝５の裏側の側壁５ｂの裏側の側面に勾配を付与して、前記余地７が生じるようにしてもよく、また、図７に示すように、不陸調整部材３の裏側の側面全体が壁面２０から離間しているようにしてもよい。
【００２５】
前記嵌合溝５の裏側の側壁５ｂの肉厚の最大値Ｂは、１〜３ｍｍの範囲内であるのが好ましい。この値が１ｍｍ未満であると、前記嵌合溝５の裏側の側壁５ｂが曲がりやすく、嵌合が緩みやすいので好ましくない。また、３ｍｍを超えると、嵌合溝５の裏側の側壁５ｂが壁面２０の向きに弾性変形するのが困難になるので、好ましくない。
【００２６】
本発明の巾木１は、以上説明した特徴を有する形状のものであれば、必ずしも上記図面に例示したものである必要はない。例えば、上述の例では、図２に示すように、巾木本体２には、釘打ちの利便性と意匠性のために、巾木１の長手方向に沿って釘打ち溝８が設けられ、また、衝撃の吸収性を高めるために、内部に中空部９を設けるようにしてあるが、これらの構造は必ずしも必要なものではなく、目的に応じて設けてもよくあるいは省略してもよいものであることはいうまでもない。
【００２７】
巾木本体２の壁面２０に接する面、または、不陸調整部材３の床面２１に接する面は、接着剤による貼付を容易とするため、粗面化することができる。
巾木１の表面側に、ホットスタンプ等にて模様を付与することにより、意匠性を高めることができる。
家具類が巾木１に押し付けられたとき、この家具類が安定して設置されうるために、巾木本体２と不陸調整部材３とで、当り面が揃うようにしてもよい。
【００２８】
本発明の巾木１に用いられる素材としては、プラスチック、ＭＤＦ（中密度繊維板）、合板などを用いることができる。特に、発泡性ＡＢＳと木粉を混合して得られる樹脂材料（Ｅ−ＡＢＳ）は、天然木に近い質感を有し、切削加工性に優れるので、特に好適である。
【００２９】
本発明の巾木１の施工は、例えば、次のような手順によって実施できる。図８は、本発明の巾木１が設置された状態の一例を示す概略断面図である。
まず、巾木１を壁面２０と床面２１の間の隅部において、位置決めおよび寸法決めを行う。次いで、巾木１を所定の寸法に切断する。次いで、巾木本体２の裏面に接着剤１２を塗布する。次いで、巾木１を、巾木本体２の裏面が壁面２０に、不陸調整部材３の底面が床面２１に接するように設置する。接着剤１２が硬化したのち、巾木本体２を壁面２０に、不陸調整部材３を床面２１に、それぞれ釘１０、１１にて固定する。
【００３０】
【発明の効果】
以上説明したように、本発明の巾木は、巾木本体と不陸調整部材とが、抜脱することなく嵌合できるようになっており、かつ、床面に降下あるいは不陸が生じても、巾木本体と不陸調整部材とが上下に互いに離間する方向に滑らかにスライドできるようになっているので、壁面と床面との当接面に生じうる隙間を塞ぐ能力に優れているとともに、巾木本体と不陸調整部材とを嵌合させた状態で搬送、切断、設置が可能となり、施工の作業性が向上させられる。
しかも、巾木本体と不陸調整部材との間に目地を設ける必要がないので、床面２１に部分的な不陸や沈下が発生しても美観を損ねるおそれがない。
【図面の簡単な説明】
【図１】  本発明の巾木の一例を示す斜視図である
【図２】  本発明の巾木の巾木本体を示す概略断面図である。
【図３】  本発明の巾木の不陸調整部材を示す概略断面図である。
【図４】  本発明の巾木の不陸調整部材を床面に釘打ち固定する状態を説明する図である。
【図５】  本発明の巾木の巾木本体と不陸調整部材とが上下に互いに離間するようにスライドする状態を説明する部分概略断面図である。
【図６】  巾木本体の嵌合突条の表面側の側面が壁面に対して平行でない状態を説明する部分概略断面図である。
【図７】  本発明の巾木の不陸調整部材の形状の他の一例を示す概略断面図である。
【図８】  本発明の巾木を壁面と床面との間の隅部に設置した状態を示す概略断面図である。
【図９】  従来の巾木の一例の構造を示す概略断面図である。
【符号の説明】
１…巾木、２…巾木本体、３…不陸調整部材、４…嵌合突条、５…嵌合溝、１０…釘、２０…壁面、２１…床面。
【図１】
0004703908.tif 000002
【図２】
0004703908.tif 000003
【図３】
0004703908.tif 000004
【図４】
0004703908.tif 000005
【図５】
0004703908.tif 000006
【図６】
0004703908.tif 000007
【図７】
0004703908.tif 000008
【図８】
0004703908.tif 000009
【図９】
0004703908.tif 000010